(57)【要約】      （修正有）【課題】レッグ開口縁がひらひらとし難く、脚周りがすっきりとして見栄えの良い紙おむつを提供する。【解決手段】外形シート１と前記外形シート１の内面に股間部を中心として縦方向に延存する吸収コア１３を有し、ウエスト開口部および左右のレッグ開口部を有するパンツ型紙おむつであって、ウエスト部Ｗと腰下部Ｕとからなる胴周り領域Ｔと、股部領域Ｌからなり、前記ウエスト部Ｗには、複数の糸状あるいは細帯状のウエスト伸縮部材２０Ｆ，２０Ｂが、縦方向に一定の間隔を持って周方向に平行に設けられていることを特徴とするパンツ型紙おむつ。【選択図】図２
2010188143.tif 000002
【特許請求の範囲】
【請求項１】
外形シートと前記外形シートの内面に股間部を中心として縦方向に延存する吸収コアを有し、ウエスト開口部および左右のレッグ開口部を有するパンツ型紙おむつであって、
前記パンツ型紙おむつは、ウエスト部と腰下部とからなる胴周り領域と、股部領域からなり、
前記ウエスト部には、複数の糸状あるいは細帯状のウエスト伸縮部材が、縦方向に一定の間隔を持って周方向に平行に設けられ、
前記腰下部には、前記腰下部領域の６０％以上の縦方向範囲にわたって、前記ウエスト伸縮部材の伸張応力および断面外径より小さい複数の太さが６２０ｄｔｅｘ以下の腰下伸縮部材が、前記ウエスト伸縮部材の間隔より短い７ｍｍ以下の間隔を持って周方向に平行に設けられ、
前記股部領域の前身頃には、前記ウエスト伸縮部材の伸張応力および断面外径より小さい複数の太さが６２０ｄｔｅｘ以下の整形伸縮部材が、前記ウエスト伸縮部材の間隔より短い７ｍｍ以下の間隔を持って周方向に平行に設けられ、
前記腰下伸縮部材と前記整形伸縮部材とは、腰下部の最下部に設けられた前記腰下伸縮部材と、前記股部領域の前身頃の最上部に設けられた前記整形伸縮部材との間隔が、前記ウエスト伸縮部材の間隔より短い７ｍｍ以下の間隔であり、縦方向に連続して設けられている
ことを特徴とするパンツ型紙おむつ。
【請求項２】
前記股部領域には、左右一対の脚周り伸縮部材が、前記レッグ開口部に沿って延在し、前記整形伸縮部材が、前記レッグ開口部近傍において、前記脚周り伸縮部材と交差する請求項１記載のパンツ型紙おむつ。
【請求項３】
前記腰下伸縮部材および前記ウエスト伸縮部材が、前記吸収コアの中央部では不連続に設けられている請求項１または２記載のパンツ型紙おむつ。
【請求項４】
前記腰下伸縮部材が、前記胴回り領域の左右の接合部から吸収コアの両側部の対応位置までそれぞれ設けられ、前記腰下伸縮部材が、前記接合部と前記対応位置との間で伸縮する請求項１〜３のいずれか１項に記載のパンツ型紙おむつ。
【請求項５】
前記整形伸縮部材が、左右のレッグ開口縁部から吸収コアの両側部の対応位置までそれぞれ設けられ、前記整形伸縮部材が、前記レッグ開口縁部と前記対応位置との間で伸縮する請求項１〜４のいずれか１項に記載のパンツ型紙おむつ。
【請求項６】
前記腰下伸縮部材の間隔と前記整形伸縮部材の間隔とが、同じ間隔である請求項１〜５のいずれか１項に記載のパンツ型紙おむつ。
【請求項７】
前記整形伸縮部材が、前記前記股部領域の前身頃の６０％以上の縦方向範囲にわたって設けられている請求項１〜６のいずれか１項に記載のパンツ型紙おむつ。
【発明の詳細な説明】
【技術分野】
【０００１】
本発明は、パンツ型などの使い捨て紙おむつに関する。
【背景技術】
【０００２】
この種の紙おむつは、外形シートの前身頃と後身頃との両側縁部が接合されて、ウエスト開口部および左右一対のレッグ開口部が形成され、透液性トップシートと不透液性バックシートとの間に吸収コアを挟んでなる吸収主体が、製品幅方向中央において前身頃から後身頃にわたって縦方向に取り付けられたものであり、汎用されている。
【０００３】
特にパンツ型紙おむつにおいては、腹側及び背側のそれぞれにおいて、ウエスト開口縁からレッグ開口始端に至る胴周り領域において周方向に沿い、かつ縦方向に間隔を有する多数の伸縮部材を有するものとされている。胴周り領域は、概念的にウエスト部と腰下部とに分けることができ、それぞれ多数の伸縮部材が取り付けられる。これらウエスト伸縮部材および腰下部伸縮部材は、製品のずれ落ち防止に寄与するとともに、特に後者は製品の肌への密着性を高める機能がある。
【０００４】
また、おむつ使用時（装着時）に腹側の左右両側縁と背側の左右両側縁とを接合するタイプのいわゆるテープ式紙おむつもあり、これは胴周り伸縮部材が設けられていないものが主流となっている。
【０００５】
ところで、これら従来の紙おむつにおいては、レッグ開口部を形成する股部領域におけるレッグ開口縁は、製造過程におけるカット代または吸収主体取り付け代の残り部分であり（以下、余剰部ともいう）、伸縮部材が取り付けられておらず、外形シートの素材（通常は不織布）のみにより形成されていた。
【発明の概要】
【発明が解決しようとする課題】
【０００６】
しかしながら、従来品においては、余剰部たるレッグ開口縁が波状にヒラヒラしており、脚周りに不要なボリューム感を与えるなど、見栄えが悪いという問題点があった。
【０００７】
一方、この問題点は余剰部が無くなるようにレッグ開口部をカットすれば対処できるようにも考えられる。しかし、かかる余剰部は製品状態においては不要であるかもしれないが、製造過程においてはカット代または吸収主体取り付け代として必要なものであり、そのような余剰部を無くすことは製造上好ましくない。
【０００８】
そこで、本発明の主たる課題は、レッグ開口縁がひらひらとし難く、脚周りがすっきりとして見栄えの良い紙おむつを提供することにある。
【課題を解決するための手段】
【０００９】
上記課題を解決した本発明は次記のとおりである。
＜請求項１記載の発明＞
外形シートと前記外形シートの内面に股間部を中心として縦方向に延存する吸収コアを有し、ウエスト開口部および左右のレッグ開口部を有するパンツ型紙おむつであって、
前記パンツ型紙おむつは、ウエスト部と腰下部とからなる胴周り領域と、股部領域からなり、
前記ウエスト部には、複数の糸状あるいは細帯状のウエスト伸縮部材が、縦方向に一定の間隔を持って周方向に平行に設けられ、
前記腰下部には、前記腰下部領域の６０％以上の縦方向範囲にわたって、前記ウエスト伸縮部材の伸張応力および断面外径より小さい複数の太さが６２０ｄｔｅｘ以下の腰下伸縮部材が、前記ウエスト伸縮部材の間隔より短い７ｍｍ以下の間隔を持って周方向に平行に設けられ、
前記股部領域の前身頃には、前記ウエスト伸縮部材の伸張応力および断面外径より小さい複数の太さが６２０ｄｔｅｘ以下の整形伸縮部材が、前記ウエスト伸縮部材の間隔より短い７ｍｍ以下の間隔を持って周方向に平行に設けられ、
前記腰下伸縮部材と前記整形伸縮部材とは、腰下部の最下部に設けられた前記腰下伸縮部材と、前記股部領域の前身頃の最上部に設けられた前記整形伸縮部材との間隔が、前記ウエスト伸縮部材の間隔より短い７ｍｍ以下の間隔であり、縦方向に連続して設けられている
ことを特徴とするパンツ型紙おむつ。
【００１０】
＜作用効果＞
請求項１記載の発明は、前記腰下部には、前記腰下部領域の６０％以上の縦方向範囲にわたって、ウエスト伸縮部材の伸張応力および断面外径より小さい複数の太さが６２０ｄｔｅｘ以下の腰下伸縮部材が、前記ウエスト伸縮部材の間隔より短い７ｍｍ以下の間隔を持って周方向に平行に設けられ、前記股部領域の前身頃には、前記ウエスト伸縮部材の伸張応力および断面外径より小さい複数の太さが６２０ｄｔｅｘ以下の整形伸縮部材が、前記ウエスト伸縮部材の間隔より短い７ｍｍ以下の間隔を持って周方向に平行に設けられていることから、腰下部から股部領域の前身頃にわたって、生成する皺は胴周り方向に幅狭であり、股下方向に長さが短く、皺がほぼ股下方向に連続する形態で生成し、各皺の凹または凸はごく小さい。その結果、皺が目立たず、見えるとしても木目細かい皺であり、全体的には平坦面状の外面を呈し、すっきり感、すなわち製品の外面が「モコモコ」せず、見栄えに優れた紙おむつとなる。
また、前記腰下伸縮部材と前記整形伸縮部材とは、腰下部の最下部に設けられた前記腰下伸縮部材と、前記股部領域の前身頃の最上部に設けられた前記整形伸縮部材との間隔が、前記ウエスト伸縮部材の間隔より短い７ｍｍ以下の間隔であり、縦方向に連続して設けられていることから、特に、股部領域の前身頃において、整形伸縮部材によってレッグ開口縁が胴回りと平行に収縮して小さくなるとともに、縦方向（収縮方向と直交する方向）に沿った小皺が収縮方向に多数並列形成され、この縦小皺によりレッグ開口縁の剛性が高まる。そして、これらの相乗作用によってレッグ開口縁が従来品のように波状にヒラヒラしなくなり、脚周りがすっきりとして見栄えが良好となる。
【００１１】
＜請求項２記載の発明＞
前記股部領域には、左右一対の脚周り伸縮部材が、前記レッグ開口部に沿って延在し、前記整形伸縮部材が、前記レッグ開口部近傍において、前記脚周り伸縮部材と交差する請求項１記載のパンツ型紙おむつ。
【００１２】
＜作用効果＞
請求項２記載の発明は、前記股部領域には、左右一対の脚周り伸縮部材が、前記レッグ開口部に沿って延在し、前記整形伸縮部材が、前記レッグ開口部近傍において、前記脚周り伸縮部材と交差することから、整形伸縮部材の外側端部は内側に引き込まれ難くなり、股部領域全体を腰脇側へ向けて引き上げ、股部領域全体の肌へのフィット性も高めることができる。
【００１３】
＜請求項３記載の発明＞
前記腰下伸縮部材および前記ウエスト伸縮部材が、前記吸収コアの中央部では不連続に設けられている請求項１または２記載のパンツ型紙おむつ。
【００１４】
＜作用効果＞
請求項３記載の発明は、腰下伸縮部材および整形伸縮部材が、吸収コアの中央部において不連続となっていることから、腰下部から股部領域の前身頃にわたって、紙おむつは、面として肌に対して押圧され、局部的な過度の肌への圧迫がなく、製品の内面と肌とがぴったり接触することによりフィット性が良好であり、紙おむつのずれ落ちを防止できる。
【００１５】
＜請求項４記載の発明＞
前記腰下伸縮部材が、前記胴回り領域の左右の接合部から吸収コアの両側部の対応位置までそれぞれ設けられ、前記腰下伸縮部材が、前記接合部と前記対応位置との間で伸縮する請求項１〜３のいずれか１項に記載のパンツ型紙おむつ。
【００１６】
＜作用効果＞
請求項４記載の発明は、前記腰下伸縮部材が、前記胴回り領域の左右の接合部から吸収コアの両側部の対応位置までそれぞれ設けられ、前記腰下伸縮部材が、前記接合部と前記対応位置との間で伸縮することから、腰下部領域において、吸収体が肌から浮き上がりにくく、腰周り部分からの漏れがより一層生じにくい。
また、吸収コアは外形シートと比べて剛性が高い（撓みにくく、収縮しにくい）ので、腰下部はウエスト部と平行な方向に沿って幅方向中央の吸収コア側に収縮され、腰下部がより一層すっきりし見栄えが良くなる。
【００１７】
＜請求項５記載の発明＞
前記整形伸縮部材が、左右のレッグ開口縁部から吸収コアの両側部の対応位置までそれぞれ設けられ、前記整形伸縮部材が、前記レッグ開口縁部と前記対応位置との間で伸縮する請求項１〜４のいずれか１項に記載のパンツ型紙おむつ。
【００１８】
＜作用効果＞
請求項５記載の発明は、前記整形伸縮部材が、左右のレッグ開口縁部から吸収コアの両側部の対応位置までそれぞれ設けられ、前記整形伸縮部材が、前記レッグ開口縁部と前記対応位置との間で伸縮することから、股部領域において、吸収体が肌から浮き上がりにくく、腰周り部分からの漏れがより一層生じにくい。
また、吸収コアは外形シートと比べて剛性が高い（撓みにくく、収縮しにくい）ので、股部はウエスト部と平行な方向に沿って幅方向中央の吸収コア側に収縮され、腰下部がより一層すっきりし見栄えが良くなる。
【００１９】
＜請求項６記載の発明＞
前記腰下伸縮部材の間隔と前記整形伸縮部材の間隔とが、同じ間隔である請求項１〜５のいずれか１項に記載のパンツ型紙おむつ。
【００２０】
＜作用効果＞
請求項６記載の発明は、前記腰下伸縮部材の間隔と前記整形伸縮部材の間隔とが、同じ間隔であることから、腰下部から股部領域の前身頃にわたって、生成する皺は胴周り方向に幅狭であり、股下方向の長さが等しく製品の外面が「モコモコ」せず、より見栄えに優れた使い捨て紙おむつとなる。
【００２１】
＜請求項７記載の発明＞
前記整形伸縮部材が、前記前記股部領域の前身頃の６０％以上の縦方向範囲にわたって設けられている請求項１〜６のいずれか１項に記載のパンツ型紙おむつ。
【００２２】
＜作用効果＞
請求項７記載の発明は、前記整形伸縮部材が、前記前記股部領域の前身頃の６０％以上の縦方向範囲にわたって設けられていることから、製品の外面が「モコモコ」せず、より見栄えに優れた使い捨て紙おむつとなる。
【発明の効果】
【００２３】
以上のとおり、本発明によれば、吸収体の肌から浮き上がりが抑制され漏れが生じにくく、レッグ開口縁のヒラヒラが抑制され脚周りがすっきりとして見栄えの良いパンツ型紙おむつが得られる。
【図面の簡単な説明】
【００２４】
【図１】本発明の用語説明のための、パンツ型おむつの第１の実施の形態の展開状態使用面側からの平面図である。
【図２】パンツ型おむつの第１の実施の形態の展開状態使用面側からの平面図である。
【図３】図２の５−５線矢視図である。
【図４】使用状態斜視図である。
【図５】パンツ型おむつの第１の実施形態の要部斜視図である。
【図６】皺の発生状況概要図である。
【図７】パンツ型おむつの第２の実施形態の展開状態使用面側からの平面図である。
【図８】パンツ型おむつの第２の実施形態の要部斜視図である。
【図９】パンツ型おむつの第３の実施形態の展開状態使用面側からの平面図である。
【図１０】パンツ型おむつの第３の実施形態の要部斜視図である。
【図１１】パンツ型おむつの第４の実施形態の展開状態使用面側からの平面図である。
【図１２】パンツ型おむつの第５の実施形態の展開状態使用面側からの平面図である。
【図１３】パンツ型おむつの第６の実施形態の展開状態使用面側からの平面図である。
【図１４】パンツ型おむつの第７の実施形態の展開状態使用面側からの平面図である。
【図１５】パンツ型おむつの第８の実施形態の展開状態使用面側からの平面図である。
【図１６】パンツ型おむつの第９の実施形態の展開状態使用面側からの平面図である。
【図１７】パンツ型おむつの第１０の実施形態の展開状態使用面側からの平面図である。
【図１８】パンツ型おむつの第１１の実施形態の展開状態使用面側からの平面図である。
【図１９】パンツ型おむつの第１２の実施形態の展開状態使用面側からの平面図である。
【図２０】製品表裏のデザイン例を示す図である。
【図２１】テープ式紙おむつの第１の実施形態の展開状態使用面側からの平面図である。
【図２２】テープ式紙おむつの第１の実施形態の、股間中央部における縦断面図である。
【図２３】テープ式紙おむつの第２の実施形態の展開状態使用面側からの平面図である。
【図２４】テープ式紙おむつの第２の実施形態の、股間中央部における縦断面図である。
【図２５】別の伸縮部材を設けた実施の形態の展開状態使用面側からの平面図である。
【図２６】他の伸縮部材を設けた実施の形態の展開状態使用面側からの平面図である。
【発明を実施するための形態】
【００２５】
以下、本発明の実施の形態について、まずパンツ型使い捨ておむつの例を採って詳説し、その後、おむつ使用時（装着時）に背側の左右両側縁部を腹側の左右両側縁部に持ち込み、これらをテープファスナー（粘着剤テープファスナーおよび面ファスナーを含む）により接合するタイプのいわゆるテープ式紙おむつに対する適用例も説明する。
【００２６】
＜『本発明の用語の説明』及びパンツ型使い捨ておむつの第１の実施の形態＞
主に図１によって、本発明の部位や方向に関する用語説明をしつつ、図２〜図６によって、第１の実施形態に係るパンツ型使い捨ておむつについて説明する。
この第１の実施形態に係るパンツ型使い捨ておむつは、図２及び図３に示すように、可撓性の外形シート１と、この外形シート１内面に固定され、股間（股下、折り返し部）４を中心として縦方向（前後方向）に延在する吸収主体１０とを主体として構成されている。
【００２７】
外形シート１は２枚または３枚以上の通気・撥水性の不織布を積層固定してなり、この外形シート１と吸収主体１０とを重ね合わせた後の製造工程の最終段階で、前身頃Ｆと後身頃Ｂとの両側縁部の長手方向全体を超音波シールや熱溶融などの手段により接合する（この接合部を符号３０としてある）ことにより、図４に示されているようにウエスト開口部ＷＯおよび左右一対のレッグ開口部ＬＯが形成される。
【００２８】
図１の符号において、「縦方向」とは、腹側と背側を結ぶ方向を意味し、「周方向」とは前記縦方向と直交する方向（または製品幅方向）を意味する。「ウエスト開口縁」とはウエスト開口部ＷＯの縁を意味し、「レッグ開口縁」とはレッグ開口部ＬＯの縁を意味する。「レッグ開口始端」とはレッグ開口部ＬＯのレッグ開口縁と接合部３０とが交差する位置を意味し、レッグ開口縁の始まり個所の意味である。「胴周り領域」Ｔとは、ウエスト開口縁からレッグ開口始端に至る長さ範囲の全体領域を意味する。胴周り領域Ｔは、概念的に「ウエスト部」Ｗと「腰下部」Ｕとに分けることができる。これらの縦方向の長さは、製品のサイズによって異なるが、ウエスト部Ｗは１５〜４０ｍｍ、腰下部Ｕは４５〜１２０ｍｍである。「股部領域」Ｌとは、レッグ開口部を形成する範囲、すなわち前身頃側のレッグ開口始端から後身頃側のレッグ開口始端に至る長さ範囲の全体領域を意味する。また、「中央部」とは、製品の中央線を含む側部を除く中間領域を意味する。「脇部」とは、胴周り領域Ｔにおける両側部を意味する。
【００２９】
吸収主体１０は、図３にも示すように、不織布などからなり着用者の肌に直接触れる長方形の透液性トップシート１１と、綿状パルプを主体とし、ある程度の剛性を有する（半剛性の）長方形の吸収コア１３とその上下面全体を包む額巻きされた長方形のクレープ紙１４とからなる吸収体ＡＢと、この吸収体ＡＢの裏面において両側縁近傍まで達する、ポリエチレンプラスチックフィルムなどからなる長方形の不透液性バックシート１２とを有し、前記透液性トップシート１１は、吸収体ＡＢの両側縁を周り込んで裏面に達し、不透液性バックシート１２に重ねられており、これらの各要素はホットメルト接着剤により接着（図中＊で示しているのが接着部分である）一体化されたものである。必要に応じて、図示のように透液性トップシート１１とクレープ紙１４との間に透液性セカンドシート１１Ｓを介在させることができる。この吸収主体１０は、ほぼ裏面全体が前記外形シート１に対して、ホットメルト接着剤により接着して一体化してある。
【００３０】
吸収主体１０の両側部には、使用面側に突出する脚周り起立カフスＣ，Ｃがそれぞれ形成され、この起立カフスＣは、実質的に幅方向に連続した起立シート４０と、伸縮部材、たとえば糸ゴムからなる一本のまたは図示のように複数本の伸縮部材５０，５０…とにより構成されている。
【００３１】
さらに詳細には、起立カフスＣは、起立シート４０を２重に形成され、各伸縮部材５０，５０…をホットメルト接着剤などにより固着した状態で包んで形成されたものである。各起立カフスＣ，Ｃを形成する起立シート４０は、透液性でなく不透液性もしくは疎水性であるのが望ましい。このため、起立シート４０の内面に別のシート（フィルム、不織布等）を張り込んで防漏性を高める構成としても良い。また、不織布などの透液性シートに対してシリコン処理などにより液体をはじく性質となるようにしてもよい。さらに、通気もしくは蒸気透過性を有しているのが望ましい。
【００３２】
二重の起立シート４０の内面は、吸収体ＡＢ及び不透液性バックシート１２の裏面側に回り込んでホットメルト接着剤などにより固着されている。その結果、二重の起立シート４０のこの固着始端は、起立カフスＣの起立端を形成している。
【００３３】
この起立端より先端側は、製品本体に固定されていない自由部分である。
【００３４】
他方、長手方向前後端部において、ホットメルト接着剤などにより、前記自由部分は、その先端が物品の中央側に向かう状態で物品に、具体的には透液性トップシート１１外面に固定されている。
【００３５】
また、伸縮部材５０，５０…は、少なくとも１本が自由部分にあることを基本形態とするが、特にその伸縮部材５０は自由部分の先端部にあることが好ましく、さらに、図３に示されているように、根元側にも伸縮部材５０を有することが好ましい。先端部には、図示のように複数本有するのがさらに望ましい。
【００３６】
図２は、紙おむつを長手方向に展開した状態を示しているが、装着時には、紙おむつが舟形に体に装着されるので、そして各伸縮部材５０，５０…の収縮力が作用するので、製品の前後端はそのままで、脚周りでは、各伸縮部材５０，５０…の収縮力により起立カフスＣが起立する。そしてこのとき、吸収主体１０の側部を変形させ持ち上げ、また若干吸収コア１３も変形させつつ持ち上げ、深いポケット空間を形成する。
【００３７】
左右の起立カフスＣ，Ｃで囲まれる空間は、尿または軟便の閉じ込め空間を形成する。この空間内に排尿されると、その尿は透液性トップシート１１を通って吸収体ＡＢ内に吸収されるとともに、軟便の固形分については、起立カフスＣがバリヤーとなり、その乗り越えが防止される。
【００３８】
他方、前身頃Ｆ及び後身頃Ｂの長手方向端部において、ウエスト部Ｗにおける外形シート１の不織布間には、ウエスト周りのフィット性を高めるために、ウエスト開口部ＷＯの端縁に平行に間隔を置いて細い糸ゴムからなるウエスト伸縮部材２０Ｆ，２０Ｂが伸縮するように伸長下に配置固定されている。ウエスト部Ｗにおけるウエスト伸縮部材２０Ｆ，２０Ｂの間隔および本数は適宜定めることができるが、例えば間隔としては２〜８ｍｍ程度、本数としては４〜１０本程度が好ましい。またウエスト伸縮部材２０Ｆ，２０Ｂとしては、細い糸ゴム、具体的には太さが６２０ｄｔｅｘ以下とされた伸縮部材を用いるのが好ましい。
【００３９】
さらに本実施形態では、前身頃Ｆ及び後身頃Ｂのウエスト部Ｗから股部領域Ｌまでの間の領域たる腰下部Ｕにおける、前身頃Ｆの下腹部及び後身頃Ｂの臀部に、周方向に沿って腰下部伸縮部材２１Ｆ，２１Ｂが設けられている。そして本例では、前身頃Ｆの腰下部伸縮部材２１Ｆは，一方側の接合部３０から他方側の接合部３０までの部分のうち吸収コア１３のほぼ全体を除く製品の左右脇部に設けられており、一方後身頃Ｂの腰下部伸縮部材２１Ｂは、一方側の接合部３０から他方側の接合部３０まで連続的に設けられている。
【００４０】
好適には、これら腰下部伸縮部材２１Ｆ，２１Ｂとして、細い糸ゴム、具体的に太さが６２０ｄｔｅｘ以下とされた伸縮部材が用いられ、前身頃Ｆ及び後身頃Ｂの両者において、縦方向の間隔が７．０ｍｍ以下とされ、それぞれ平行に１５〜４０本、外形シート１の不織布間に配置固定される。この腰下部伸縮部材２１Ｆ，２１Ｂおける相互間隔は、ウエスト伸縮部材２０Ｆ，２０Ｂの間隔に対して同じか、あるいはそれよりも短いものが望ましい。
【００４１】
また、これら腰下部伸縮部材２１Ｆ，２１Ｂとして使用する糸ゴムは、前述のウエスト伸縮部材２０Ｆ，２０Ｂとして使用する細い糸ゴムよりも伸張応力および断面外径が小さいか、あるいは実質的に同一のものとすることができる。ここにおいて使用する細い糸ゴムとしては、具体的には、伸張応力が、１５０％伸長時において４〜１７ｇの範囲、特に５〜１０ｇの範囲のものが好適に使用される。
【００４２】
そしてかかる構成のもと本発明に従って、股部領域Ｌにおける少なくともレッグ開口縁６，６に、当該レッグ開口縁６，６を幅方向中央部側へ収縮させる整形伸縮部材２３Ｆ，２３Ｂが縦方向に間隔をおいて多数設けられている。より詳細には、本形態では股部領域Ｌの前身頃Ｆに対しては、整形伸縮部材２３Ｆが、両レッグ開口縁６，６から吸収コアと対応する位置まで連続的にそれぞれ設けられ、吸収コア１３の中央部には設けられていない。また後身頃Ｂに対しては、整形伸縮部材２３Ｂが一方のレッグ開口縁６から他方のそれまで連続的に設けられている。特に本例では、これら整形伸縮部材２３Ｆ，２３Ｂは、股部領域Ｌにおける股間部４の前後各２〜３ｃｍ（計４〜６ｃｍ）、特に４〜６ｃｍ（計８〜１２ｃｍ）の長さ範囲Ｒを除いて設けられている。
【００４３】
この整形伸縮部材２３Ｆ，２３Ｂについても、腰下部伸縮部材２１Ｆ，２１Ｂと同様に、太さが６２０ｄｔｅｘ以下の伸縮部材を縦方向の間隔を７．０ｍｍ以下として不織布間に配置固定するのが望ましい。
【００４４】
かくして形成された本発明の紙おむつにおいては、図５に示すように、整形伸縮部材２３Ｆ，２３Ｂによってレッグ開口縁６，６が胴回りと平行に収縮して小さくなるとともに、縦方向（収縮方向と直交する方向）に沿った小皺が収縮方向に多数並列形成され、この縦小皺によりレッグ開口縁６，６の剛性が高まる。そして、これらの相乗作用によってレッグ開口縁６，６が従来品のように波状にヒラヒラしなくなり、脚周りがすっきりとして見栄えが良好となる。さらにこの作用効果によって、おむつの上から着用するパンツとの密着性も良好となり、パンツを重ねて着用した場合にもスッキリとして見栄えが良くなる。
【００４５】
特に本例の場合には、この作用効果の他にも、前身頃Ｆにおける整形伸縮部材２３Ｆ，２３Ｆが、吸収コア１３と対応する部分において不連続となっているので、吸収コア１３に対して加えられる幅方向の収縮力が弱められ、吸収コア１３を横切る伸縮部材の作用により胴周り締め付け方向に沿って形成される縦皺によって吸収体が肌から浮き上がりにくく、腰周り部分からの漏れが生じにくいという作用効果がある。一方、後身頃Ｂにおいては、整形伸縮部材２３Ｂが一方側のレッグ開口縁から他方側のそれまで連続的に形成されているので、当該部位の肌への密着性が高くなり、ずれ落ち防止効果が向上する。
【００４６】
ここに、ウエスト伸縮部材２０Ｆ，２０Ｂ、腰下部伸縮部材２１Ｆ，２１Ｂおよび整形伸縮部材２３Ｆ，２３Ｂに関し、上記太さ範囲外または縦方向間隔範囲外では、図６に（ａ）として模式的に示すように、糸ゴムＧの収縮に伴って発生する皺は、隣接する糸ゴムＧの一方から他方に亘る形態で発生し、この凹凸の皺が胴周り方向に繰り返し状態で生成する。さらに隣接する糸ゴムＧ相互間の皺と、一つ隣の隣接する糸ゴムＧ相互間の皺とは、連続せず独立的な傾向をもって生成する。これらの皺は、糸ゴムＧ相互の配置間隔が大きいほど、その離間距離に応じた長い稜または谷を持ち、かつ胴周り方向の凹凸のピッチが大きい。したがって、製品の外面において全体的に見れば大きい皺がランダムに生成するために、製品の外面が「モコモコ」したものとなり、パンツ衣類とはまったく遠く離れた感覚を与えるものである。さらに、各糸ゴムＧの太さが太く、収縮力が大きいので、たとえば一つの山皺を例に採ると、その山の糸ゴムＧ側の谷が深くなり、糸ゴムＧの存在が明瞭となる。また、山または谷が大きくかつ収縮力が強く作用するので、山部または谷部に複雑な小皺がランダムに生成する。さらに、太い糸ゴムＧの存在が明瞭であるために、消費者はその太い糸ゴムＧによって装着者の肌を強く締め付けるのではないかとのおそれを抱き、消費意欲を減退させる。実際に、吸収コアが存在しない脇部においては、太い糸ゴムＧの収縮力が強く作用し、その部分が肌にゴム跡となって残ることもあることが知見されている。また、主に各糸ゴムが肌に当たる部分における製品の内面と肌との摩擦により製品のずれ落ちを防止しているが、単位面積当たりの糸ゴム本数は少ないので、よほど大きい収縮力でないと製品のずれ落ちのおそれがある。
【００４７】
これに対して、上記範囲内においては、図６に（ｂ）として模式的に示すように、生成する皺は胴周り方向に幅狭であり、股下方向に長さが短く、皺がほぼ股下方向に連続する形態で生成する。そして、各皺の凹または凸はごく小さい。しかも、糸ゴムｇ部分での括れが殆どなく、外面を構成するシートの色と糸ゴムｇの色とが同色である場合に糸ゴムｇの存在が判別し難い。その結果、皺が目立たず、見えるとしても木目細かい皺であり、全体的には平坦面状の外面を呈し、すっきり感、すなわち製品の外面が「モコモコ」せず、見栄えに優れた使い捨て紙おむつとなる。しかも、面として肌に対して押圧されるようにすることにより、局部的な過度の肌への圧迫がないことによりゴム跡の生成がなく、製品の内面と肌との摩擦が全体に及び、ぴったり接触することによりフィット性が良好であり、製品のずれ落ちを防止できる。
【００４８】
またこの作用効果を発揮させるためには、各伸縮部材を配設する領域のうち６０％以上，望ましくは７０％以上、より好ましくは９０％以上の伸縮部材が、上記範囲の太さ及び間隔を有すれば足り、最大４０％範囲において上記範囲の太さまたは間隔を有しなくても良い。
【００４９】
＜パンツ型使い捨ておむつの第２の実施形態＞
第１の実施形態の整形伸縮部材２３Ｆ，２３Ｂは、通常の場合ホットメルト接着剤等の接着剤により外形シート１に対して固定されるが、その場合、整形伸縮部材２３Ｆ，２３Ｂの外側端部が中央側に向かって引き込まれてしまうおそれがある。
【００５０】
そこで、本第２の実施形態では、図７および図８に示すように整形伸縮部材２３Ｆ，２３Ｂの外側端部をヒートシールＨＳ，ＨＳ…により外形シート１に固定している。かかるヒートシールＨＳ，ＨＳ…によって、整形伸縮部材２３Ｆ，２３Ｂの外側端部は外形シート１に対して強固に固定され、引き込まれ難くなる。
【００５１】
＜パンツ型使い捨ておむつの第３の実施形態＞
第３の実施形態は、図９および図１０に示すように、整形伸縮部材２３Ｆ，２３Ｂを、各身頃の対応するレッグ開口部に沿って接合部３０（レッグ開口始端の上側部位）まで延在させた形態である。この延在部分が符号ＥＧにより示されている。この場合にも、整形伸縮部材２３Ｆ，２３Ｂは、股部領域Ｌにおける股間部４の前後各２〜３ｃｍ、特に４〜６ｃｍの長さ範囲Ｒを除いて設けられている。
【００５２】
本形態によれば、前述第１の実施形態と同様に、整形伸縮部材２３Ｆ，２３Ｂの胴周りと平行な部分により、レッグ開口縁６，６が収縮されるだけでなく、延在部分ＥＧ，ＥＧ…によってレッグ開口縁６，６を含む股部領域全体を接合部３０側、すなわち腰脇側へ向けて引き上げることができ、股部領域全体の肌へのフィット性も高めることができる。
【００５３】
＜パンツ型使い捨ておむつの第４の実施形態＞
第４の実施形態は、図１１に示すように、第１の実施形態とは反対に、前身頃Ｆにおける整形伸縮部材２３Ｆは一方側のレッグ開口縁６から他方側のそれまで連続的に設けられており、後身頃における整形伸縮部材２３Ｂは両レッグ開口縁６，６から吸収コア１３と対応する位置まで連続的にそれぞれ設けられ、かつ吸収コア１３の中央部には設けられていない形態である。図示例では、整形伸縮部材２３Ｆ，２３Ｂに合わせて腰下部伸縮部材２１Ｆ，２１Ｂも連続・不連続が第１の実施形態とは反対にされている。
【００５４】
＜パンツ型使い捨ておむつの第５の実施形態＞
第５の実施形態は、図１２に示すように、前身頃Ｆの整形伸縮部材２３Ｆおよび後身頃Ｂの整形伸縮部材２３Ｂの両方が、両レッグ開口縁６，６から吸収コア１３と対応する位置まで連続的にそれぞれ設けられ、かつ吸収コア１３の中央部には設けられていない形態である。図示例では、これら整形伸縮部材２３Ｆ，２３Ｂに合わせて、ウエスト伸縮部材２０Ｆ，２０Ｂの両方および腰下部伸縮部材２１Ｆ，２１Ｂの両方も、それぞれ中央部に不連続部分を設けている。
【００５５】
＜パンツ型使い捨ておむつの第６の実施形態＞
第６の実施形態は、図１３に示すように、前身頃Ｆの整形伸縮部材２３Ｆおよび後身頃Ｂの整形伸縮部材２３Ｂの両方が、一方側のレッグ開口縁６から他方側のそれまで連続的に設けられた形態である。図示例では、これら整形伸縮部材２３Ｆ，２３Ｂに合わせて、ウエスト伸縮部材２０Ｆ，２０Ｂの両方および腰下部伸縮部材２１Ｆ，２１Ｂの両方も、胴周り領域Ｔの一方側接合部から他方側接合部まで連続させている。
【００５６】
＜パンツ型使い捨ておむつの第７の実施形態＞
本発明における整形伸縮部材は、例えば図１４に前身頃Ｆの整形伸縮部材２３Ｆの例を示すように、股部領域Ｌにおけるレッグ開口縁から吸収コアの近傍位置、好ましくは吸収コア１３から幅方向に５ｍｍ、特に２ｍｍ離間する位置までしか、延在させないようにすることもできる。図示例ではこの距離を符号ｚにより示してある。この構成は、前身頃の整形伸縮部材２３Ｆであると後身頃Ｂの整形伸縮部材２３Ｂであるとを問わず、適用することができる。
【００５７】
＜パンツ型使い捨ておむつの第８の実施形態＞
また本発明における整形伸縮部材は、例えば図１５に前身頃Ｆの整形伸縮部材２３Ｆの例を示すように、股部領域Ｌにおけるレッグ開口縁６，６だけに設けることもできる。この構成も、前身頃の整形伸縮部材２３Ｆであると後身頃Ｂの整形伸縮部材２３Ｂであるとを問わず、適用することができる。
【００５８】
＜パンツ型使い捨ておむつの第９の実施形態＞
さらに上記例では、股間部４の前後各２〜３ｃｍ、特に４〜６ｃｍ長さ範囲Ｒ（図９参照）には整形伸縮部材２３Ｆ，２３Ｂを設けていないが、本発明における整形伸縮部材２３Ｆ，２３Ｂは、股部領域Ｌの縦方向全体に設けることもできる。
【００５９】
この形態の一例が、図１６に示されている。この第９の実施形態は、外形シート１を、幅方向中央シート１Ａと、両側部のサイドシート１Ｂ、１Ｂにより構成し、各サイドシート１Ｂ、１Ｂとして、たとえば不織布間に網目状、たとえば格子状に糸ゴムを固定したものを用いたものである。そして幅方向中央シート１Ａに両側部のサイドシート１Ｂ、１Ｂを接合し、各サイドシート１Ｂ、１Ｂを幅方向及び前後方向に伸縮するようにしたものである。この場合における、幅方向の糸ゴムはウエスト部Ｗ及び腰下部Ｕの伸縮部材のみならず、本発明の整形伸縮部材を形成している。
【００６０】
＜パンツ型使い捨ておむつの第１０の実施形態＞
本発明においては、整形伸縮部材の他にも、股間部をフィットさせるために、種々の形態で伸縮部材を外形シート１に設けることができる。第１０の実施形態は、図１７に示すように、整形伸縮部材２３Ｆ，２３Ｂに加えて、レッグ開口縁６，６の全体に、レッグ開口部に沿って連続する脚周り伸縮部材２４，２４を外形シート１の不織布間に固定した形態である。本発明においては、この脚周り伸縮部材２４，２４からのレッグ開口縁６，６のはみ出し幅ｔを５ｍｍ以内（好適には２ｍｍ以内）とするのが望ましい。なお、図１７では脚周り伸縮部材を目立たせるために、吸収主体１０を仮想線で示してある（後述の図１８および図１９の例も同じ）。
【００６１】
かかる脚周り伸縮部材２４は、一般にレッグ開口部ＬＯを収縮させ、体液の漏れを防止するために設けられるが、本発明に従ってレッグ開口縁６，６のはみ出し幅ｔを５ｍｍ以内としたことにより、整形伸縮部材２３Ｆ，２３Ｂによるレッグ開口縁６の収縮と相まって、レッグ開口縁６のヒラヒラ感をさらに少なくし、見栄えを更にスッキリとさせる効果がある。
【００６２】
＜パンツ型使い捨ておむつの第１１の実施形態＞
第１１の実施形態は、図１８に示すように、前身頃Ｆ及び後身頃Ｂにおいて、左方の脇部の端部から左方のレッグ開口縁６を通り、股間（股下）部を横断して、右方のレッグ開口縁６を通り脇部の端部まで連続させて、それぞれ脚周り・股間部伸縮部材２５Ｆ，２５Ｂを外形シート１の不織布間に固定したものである。また、この例においては、前身頃Ｆ側と後身頃Ｂ側の脚周り・股間部伸縮部材２５Ｆ，２５Ｂが股間部４の前後各２〜３ｃｍ、特に４〜６ｃｍの範囲Ｒ内で一部交差する形態としてある。
【００６３】
この形態においても、伸縮部材２５Ｆ，２５Ｂの脚周り部分からのレッグ開口縁６，６のはみ出し幅ｔを５ｍｍ以内（好適には２ｍｍ以内）とすると、第１０の実施形態と同様、さらにレッグ開口縁６のヒラヒラ感がさらに少なくなる。
【００６４】
＜パンツ型使い捨ておむつの第１２の実施形態＞
第１２の実施形態は、図１９に示すように、第１２の実施形態に対して、前身頃Ｆ側と後身頃Ｂ側の脚周り・股間部伸縮部材２６Ｆ，２６Ｂが股間部４の前後各２〜３ｃｍ、特に４〜６ｃｍの範囲Ｒ内を通るものの、交差しない点が異なる形態である。かかる形態でも、伸縮部材２６Ｆ，２６Ｂの脚周り部分からのレッグ開口縁６，６のはみ出し幅ｔを５ｍｍ以内（好適には２ｍｍ以内）とすると、第１０の実施形態と同様、さらにレッグ開口縁６のヒラヒラ感がさらに少なくなる。
【００６５】
＜パンツ型使い捨ておむつの各形態についての補足説明及び他の実施の形態＞
上記の実施の形態を比較して推測できるように、本発明の整形伸縮部材２３Ｆ，２３Ｂは、吸収主体１０を横断して胴周りと平行に連続して配置固定する形態と、吸収コア１３のほぼ全体部分には存在せず、製品の左右脇部のおいてのみ配置固定する形態を採ることができる。また、前身頃の整形伸縮部材２３Ｆは、吸収コア１３のほぼ全体部分には存在せず、製品の左右脇部のおいてのみ配置固定し、後身頃の整形縮部材２３Ｂについては吸収主体１０を横断して胴周りと平行に連続して配置固定することができる。もちろん、この逆でもよい。
【００６６】
また、特に後身頃Ｂのレッグ開口縁６は吸収コア１３からのはみ出し長さが前身頃Ｆのそれと比べて長くひらひらし易いので、少なくとも後身頃Ｂのレッグ開口縁６については整形伸縮部材２３Ｂを設けるのが好ましく、その場合には前身頃Ｆにおける整形伸縮部材２３Ｆを省略することもできる。もちろん、逆に前身頃Ｆにのみ整形伸縮部材２３Ｆを設ける態様を採ることもできる。
【００６７】
さらに、上記例のように起立カフスＣを有する場合には、その伸縮部材５０，５０…により吸収主体１０の側端部が脚周り方向に収縮するため、その側方に余るレッグ開口縁６，６が余計にひらひらし易い。したがって、本発明は特にかかる起立カフスＣを有する紙おむつに対して好適なものである。
【００６８】
また外形シート１の股間側端部が、起立カフスＣを有する場合はその起立端から、起立カフスＣを有しない場合は吸収コア１３の側端から、内側または外側に５〜１５ｍｍ、特に５〜１０ｍｍ入り込むまたは張出すように脚周りがカットされているのが好ましい。これにより、外形シートの余剰部が少なくなり、本発明の整形伸縮部材２３Ｆ，２３Ｂとの相乗作用によりレッグ開口縁６，６が更にひらひらし難くなる。
【００６９】
一方、ウエスト伸縮部材２０Ｆ，２０Ｂや腰下部伸縮部材２１Ｆ，２１Ｂについては、その有無ならびに吸収コア１３と対応する部分における連続・不連続を任意に選択できる。
【００７０】
上記例は砂時計形状の外形シート１に対して長方形の吸収主体１０を接合してあるが、本発明では外形シート１と同形状の透液性トップシート１１を設け、これらの間に吸収体ＡＢを設ける形態でもよい。
【００７１】
製品の外面を構成するシートは、上記例では２枚または３枚以上の通気・撥水性の不織布を積層固定したものであるが、１枚の不織布でもよく、この場合にはその不織布の使用面側に伸縮部材を接合することができる。さらに積層する不織布間の中間にプラスチックシートを介在させたり、または裏面側不織布の使用面側に張り合わせたりすることができる。
【００７２】
他方、製品の中央部（吸収コアのほぼ全体領域）に、図２０に示すように、デザインシート１００を設け、このデザインシート１００の外面にキャラクターなどのデザインを施すことができる。このデザイン部分は、ある程度の剛性を有する吸収コア１３を有し、かつ本発明にしたがって外形シート１が変形したり皺を生じたりすることがないために、そのデザインが崩れることなく鮮明に分かるものとなる。デザインシート１００は外形シート間に介在させることができる。また、外形シート１に印刷するか、不透液性バックシート１２の裏面側に印刷することができる。さらに、図示のように、製品の正面と裏面とに対応して、当該キャラクターの正面と背面とを施すと、誰でも一目で前後を判別でき、おむつ換えが楽しくなり、着用者も喜ぶものとなる。このデザインに係る構成は、次述のテープ式紙おむつに対しても適用できる。
【００７３】
＜テープ式紙おむつの第１の実施の形態＞
前述のように、本発明はパンツ型使い捨ておむつのほか、テープ式紙おむつをも対象とする。この第１の実施の形態を図２１及び図２２に示す。この例においては、両側部に起立シート４１，４１を有し、これらの自由起立部の先端部に伸縮部材５１，５１が設けられ、起立カフスＣ，Ｃを構成している。起立シート４１は外形シートと同様の裏面シート１と接合されている。４２は背側の左右両側部を腹側の左右両側部に持ち込み、接合するためのテープファスナーである。この例において、前身頃Ｆ及び後身頃Ｂの長手方向端部において、ウエスト部Ｗにおける外形シート（裏面シート）１の不織布間には、ウエスト周りのフィット性を高めるために、ウエスト開口部ＷＯの端縁に平行に間隔を置いて細い糸ゴムからなるウエスト伸縮部材２０Ｆ，２０Ｂ…が伸縮するように伸長下に配置固定されている。さらに前身頃Ｆの下腹部及び後身頃Ｂの臀部に、胴周り方向に沿って腰下部伸縮部材２１Ｆ，２１Ｂが設けられている。
【００７４】
そして、本発明の整形伸縮部材２３Ｆ，２３Ｂが、股部領域Ｌにおけるレッグ開口縁６，６から胴周りと平行に吸収コア１３の近傍位置まで取り付けられ、吸収コア１３の全部と対応する範囲には設けられていない。
【００７５】
（テープ式紙おむつの第２の実施の形態）
第２の実施の形態を図２３及び図２４に示す。この形態は起立カフスを有しない例である。そして、吸収コア１３の外方のフラップ部に伸縮部材５２，５２が、透液性トップシート１１とバックシート１２との間に固定されている。この例においても、ウエスト伸縮部材２０Ｆ，２０Ｂ…、及び腰下部伸縮部材２１Ｆ，２１Ｂが設けられている。
【００７６】
そしてこの例においても、本発明の整形伸縮部材２３Ｆ，２３Ｂが、股部領域Ｌにおけるレッグ開口縁６，６から胴周りと平行に吸収コア１３の近傍位置まで取り付けられ、吸収コア１３の全部と対応する範囲には設けられていない。
【００７７】
＜伸縮部材について＞
本発明の各伸縮部材としては、天然ゴムや合成ゴムなどの材質のほか、ウレタンなどの弾性伸縮性のものを用いることができる。また、細帯状の弾性伸縮性帯や、面積的に大きいシート状のものも使用できる。これらの例として、ウレタンなどの帯、フィルムまたはシートなどがある。フィルムとしては無孔フィルムや孔開きフィルム、さらにシートとしては前述のような網目状のシートなどを適宜選択できる。無孔フィルム６０の配設例を図２５に示した。また、網目状のフィルム６１の配設例を図２６に示した。
【符号の説明】
【００７８】
１…外形シート、１０…吸収主体、１１…透液性トップシート、１２…不透液性バックシート、１３…吸収コア、１４クレープ紙、２０Ｆ，２０Ｂ…ウエスト伸縮部材、２１Ｆ，２１Ｂ…腰下部伸縮部材、２３Ｆ，２３Ｂ…整形伸縮部材、４０…起立シート、５０…伸縮部材、６０…無孔フィルム、６１…網目状フィルム、ＡＢ…吸収体、Ｃ…起立カフス。
【図１】
2010188143.tif 000003
【図２】
2010188143.tif 000004
【図３】
2010188143.tif 000005
【図４】
2010188143.tif 000006
【図５】
2010188143.tif 000007
【図６】
2010188143.tif 000008
【図７】
2010188143.tif 000009
【図８】
2010188143.tif 000010
【図９】
2010188143.tif 000011
【図１０】
2010188143.tif 000012
【図１１】
2010188143.tif 000013
【図１２】
2010188143.tif 000014
【図１３】
2010188143.tif 000015
【図１４】
2010188143.tif 000016
【図１５】
2010188143.tif 000017
【図１６】
2010188143.tif 000018
【図１７】
2010188143.tif 000019
【図１８】
2010188143.tif 000020
【図１９】
2010188143.tif 000021
【図２０】
2010188143.tif 000022
【図２１】
2010188143.tif 000023
【図２２】
2010188143.tif 000024
【図２３】
2010188143.tif 000025
【図２４】
2010188143.tif 000026
【図２５】
2010188143.tif 000027
【図２６】
2010188143.tif 000028